(57)【要約】【課題】  係員の手によることなく、回収部内に紙葉類を自動的に整列した状態で回収できるようにする。【解決手段】  券の区分保留動作中に、保留部６（〜９）が満杯になるのに基づいてその一部を保留部６（〜９）から繰り出すように第１の制御を行い、区分保留動作の終了後には、保留部６〜９から全ての券を繰り出すように第２の制御を行う制御部１２と、この制御部１２の第１及び第２の制御によって保留部６〜９から繰り出される券を回収する回収部１１とを具備し、制御部１２は、第２の制御によって保留部６〜９から全ての券を繰り出す際には、第１の制御によって既に回収部１１内に回収されている券を全て回収部１１から繰り出すように第３の制御を行ってその種類を鑑査部５で判別させ、その判別結果に基づいて保留部６〜９に区分保留させてから第２の制御を開始する。【選択図】      図１
2006260460.tif 000002
【特許請求の範囲】
【請求項１】
紙葉類を搬送路に沿って搬送する搬送手段と、
この搬送手段によって搬送される紙葉類の種類を判別する判別手段と、
この判別手段によって判別される紙葉類の種類に応じて前記紙葉類を区分保留する複数の保留部と、
前記区分保留動作中に、前記保留部が満杯になるのに基づいてその一部を前記保留部から繰り出すように第１の制御を行い、区分保留動作の終了後には、前記保留部から全ての紙葉類を繰り出すように第２の制御を行う制御手段と、
この制御手段の第１及び第２の制御によって前記保留部から繰り出される紙葉類を回収する回収部とを具備し、
前記制御手段は、前記第２の制御によって前記保留部から全ての紙葉類を繰り出す際には、前記第１の制御によって既に前記回収部内に回収されている紙葉類を全て回収部から繰り出すように第３の制御を行ってその種類を前記判別手段で判別させ、その判別結果に基づいて前記保留部に区分保留させてから前記第２の制御を開始することを特徴とする紙葉類処理装置。
【請求項２】
前記判別手段は、前記第３の制御によって前記回収部から取り出される紙葉類の枚数、及び前記第２の制御によって前記保留部から繰り出される紙葉類の枚数を計数することを特徴とする請求項１記載の紙葉類処理装置。
【請求項３】
紙葉類を搬送路に沿って搬送する搬送手段と、
この搬送手段によって搬送される紙葉類の種類を判別する判別手段と、
この判別手段によって判別される紙葉類の種類に応じて前記紙葉類を区分保留する複数の保留部と、
前記区分保留動作中において前記保留部が満杯になるのに基づいてその一部を前記保留部から繰り出すように第１の制御を行い、区分保留動作終了後には、前記保留部から全ての紙葉類を繰り出すように第２の制御を行う制御手段と、
この制御手段の第１及び第２の制御によって前記保留部から繰り出される紙葉類を回収する回収部とを具備し、
前記制御手段は、前記第２の制御によって前記保留部から全ての紙葉類を繰り出す際には、前記第１の制御によって既に前記回収部内に回収されている紙葉類を全て回収部から繰り出してその種類を前記判別手段で判別させる第３の制御を行い、その判別結果に基づいて前記保留部に区分保留させてから前記第２の制御を開始させ、
前記第３の制御動作時において前記判別手段による種類の判別が不能とされた紙葉類を収納する収納部を備え、
前記第３の制御動作により前記回収部が空になるのに基づいて前記収納部から判別不能紙葉類を取り出して前記回収部に回収し、この紙葉類を再度、回収部から取り出して前記判別手段に送り込んでその種類を判別させることを特徴とする紙葉類処理装置。
【請求項４】
紙葉類を搬送路に沿って搬送する搬送手段と、
この搬送手段によって搬送される紙葉類の種類を判別する判別手段と、
この判別手段によって判別される紙葉類の種類に応じて前記紙葉類を区分保留する複数の保留部と、
前記区分保留動作中において前記保留部が満杯になるのに基づいてその一部を前記保留部から繰り出すように第１の制御を行い、区分保留動作終了後には、前記保留部から全ての紙葉類を繰り出すように第２の制御を行う制御手段と、
この制御手段の第１及び第２の制御によって前記保留部から繰り出される紙葉類を回収する回収部とを具備し、
前記制御手段は、前記第２の制御によって前記保留部から全ての紙葉類を繰り出す際には、前記第１の制御によって既に前記回収部内に回収されている紙葉類を全て回収部から繰り出す第３の制御を行ってその種類を前記判別手段で判別させ、その判別結果に基づいて前記保留部に区分保留させてから前記第２の制御を開始させ、
前記第３の制御動作によって前記紙葉類が前記保留部に区分保留されて前記保留部が満杯になるのに基づいて前記紙葉類を取り出すように第４の制御を行い、この第４の制御動作により取り出される紙葉類を集積させる集積部を備えることを特徴とする紙葉類処理装置。
【請求項５】
紙葉類を搬送路に沿って搬送する搬送工程と、
この搬送工程によって搬送される紙葉類の種類を判別する判別工程と、
この判別工程によって判別される紙葉類の種類に応じて前記紙葉類を複数の保留部に区分保留する区分保留工程と、
この区分保留工程中に、前記保留部が満杯になるのに基づいてその一部を前記保留部から繰り出すように第１の制御を行い、区分保留工程の終了後には、前記保留部から全ての紙葉類を繰り出すように第２の制御を行う制御工程と、
この制御工程第１及び第２の制御によって前記保留部から繰り出される紙葉類を回収部に回収する回収工程とを具備し、
前記制御工程において、前記第２の制御によって前記保留部から全ての紙葉類を繰り出す際には、前記第１の制御によって既に前記回収部内に回収されている紙葉類を全て回収部から繰り出すように第３の制御を行ってその種類を前記判別手段で判別させ、その判別結果に基づいて前記保留部に区分保留させてから前記第２の制御を開始することを特徴とする紙葉類処理方法。
【請求項６】
紙葉類を搬送路に沿って搬送する搬送工程と、
この搬送工程によって搬送される紙葉類の種類を判別する判別工程と、
この判別工程によって判別される紙葉類の種類に応じて前記紙葉類を複数の保留部に区分保留する区分保留工程と、
この区分保留工程中において前記保留部が満杯になるのに基づいてその一部を前記保留部から繰り出すように第１の制御を行い、区分保留工程終了後には、前記保留部から全ての紙葉類を繰り出すように第２の制御を行う制御工程と、
この制御工程の第１及び第２の制御によって前記保留部から繰り出される紙葉類を回収部に回収する回収工程とを具備し、
前記制御工程は、前記第２の制御によって前記保留部から全ての紙葉類を繰り出す際には、前記第１の制御によって既に前記回収部内に回収されている紙葉類を全て回収部から繰り出してその種類を前記判別工程で判別させる第３の制御を行い、その判別結果に基づいて前記保留部に区分保留させてから前記第２の制御を開始させ、
前記第３の制御動作時において前記判別工程による種類の判別が不能とされた紙葉類を収納部に収納する収納工程を備え、
前記第３の制御動作により前記回収部が空になるのに基づいて前記収納部から判別不能紙葉類を取り出して前記回収部に回収し、この紙葉類を再度、回収部から取り出して前記判別工程に送り込んでその種類を判別させることを特徴とする紙葉類処理方法。
【請求項７】
紙葉類を搬送路に沿って搬送する搬送工程と、
この搬送工程によって搬送される紙葉類の種類を判別する判別工程と、
この判別工程によって判別される紙葉類の種類に応じて前記紙葉類を複数の保留部に区分保留する区分保留工程と、
この区分保留工程において前記保留部が満杯になるのに基づいてその一部を前記保留部から繰り出すように第１の制御を行い、区分保留工程終了後には、前記保留部から全ての紙葉類を繰り出すように第２の制御を行う制御工程と、
この制御工程の第１及び第２の制御によって前記保留部から繰り出される紙葉類を回収部に回収する回収工程とを具備し、
前記制御工程において、前記第２の制御によって前記保留部から全ての紙葉類を繰り出す際には、前記第１の制御によって既に前記回収部内に回収されている紙葉類を全て回収部から繰り出す第３の制御を行ってその種類を前記判別工程で判別させ、その判別結果に基づいて前記保留部に区分保留させてから前記第２の制御を開始させ、
前記第３の制御動作によって前記紙葉類が前記保留部に区分保留されて前記保留部が満杯になるのに基づいて前記紙葉類を取り出すように第４の制御を行い、この第４の制御動作により取り出される紙葉類を集積部に集積させる集積工程を備えることを特徴とする紙葉類処理方法。
【発明の詳細な説明】
【技術分野】
【０００１】
本発明は、例えば、金融機関等に設置されて紙幣取扱装置として利用される紙葉類処理装置及び紙葉類処理方法に関する。
【背景技術】
【０００２】
この種の紙幣取扱装置には、複数種類の紙幣を一括して別々の金庫に装填したり、別々の金庫内部に入っている紙幣を１つの回収金庫に回収したりするものがある。
【０００３】
紙幣回収動作は、締切り時に行うほか、ある金庫が満杯になった場合にも行われる。金庫が満杯になった場合には、その金庫内の紙幣の一部、または全てを回収金庫に回収することにより、装置を停止することなく紙幣の取扱動作を継続することを可能としている（例えば、特許文献１参照。）。
【特許文献１】特開２００３−１５７４５８号公報
【発明の開示】
【発明が解決しようとする課題】
【０００４】
しかしながら、従来においては、締切り回収動作を行う際、回収金庫には、既に、紙幣が混在した状態で格納されている可能性があるため、係員は一旦、回収金庫から紙幣を取り出して券種別に整列する必要があり、係員の負担が増大するとともに、計数ミス等の問題が発生する。
【０００５】
本発明は上記事情に着目してなされたもので、その目的とするところは、係員の手によることなく、回収部内に紙葉類を自動的に整列した状態で回収できるようにした紙葉類処理装置を提供することにある。
【課題を解決するための手段】
【０００６】
上記課題を解決するため、請求項１記載のものは、紙葉類を搬送路に沿って搬送する搬送手段と、この搬送手段によって搬送される紙葉類の種類を判別する判別手段と、この判別手段によって判別される紙葉類の種類に応じて前記紙葉類を区分保留する複数の保留部と、前記区分保留動作中に、前記保留部が満杯になるのに基づいてその一部を前記保留部から繰り出すように第１の制御を行い、区分保留動作の終了後には、前記保留部から全ての紙葉類を繰り出すように第２の制御を行う制御手段と、この制御手段の第１及び第２の制御によって前記保留部から繰り出される紙葉類を回収する回収部とを具備し、前記制御手段は、前記第２の制御によって前記保留部から全ての紙葉類を繰り出す際には、前記第１の制御によって既に前記回収部内に回収されている紙葉類を全て回収部から繰り出すように第３の制御を行ってその種類を前記判別手段で判別させ、その判別結果に基づいて前記保留部に区分保留させてから前記第２の制御を開始する。
【０００７】
請求項３記載のものは、紙葉類を搬送路に沿って搬送する搬送手段と、この搬送手段によって搬送される紙葉類の種類を判別する判別手段と、この判別手段によって判別される紙葉類の種類に応じて前記紙葉類を区分保留する複数の保留部と、前記区分保留動作中において前記保留部が満杯になるのに基づいてその一部を前記保留部から繰り出すように第１の制御を行い、区分保留動作終了後には、前記保留部から全ての紙葉類を繰り出すように第２の制御を行う制御手段と、この制御手段の第１及び第２の制御によって前記保留部から繰り出される紙葉類を回収する回収部とを具備し、前記制御手段は、前記第２の制御によって前記保留部から全ての紙葉類を繰り出す際には、前記第１の制御によって既に前記回収部内に回収されている紙葉類を全て回収部から繰り出してその種類を前記判別手段で判別させる第３の制御を行い、その判別結果に基づいて前記保留部に区分保留させてから前記第２の制御を開始させ、前記第３の制御動作時において前記判別手段による種類の判別が不能とされた紙葉類を収納する収納部を備え、前記第３の制御動作により前記回収部が空になるのに基づいて前記収納部から判別不能紙葉類を取り出して前記回収部に回収し、この紙葉類を再度、回収部から取り出して前記判別手段に送り込んでその種類を判別させる。
【０００８】
請求項４記載のものは、紙葉類を搬送路に沿って搬送する搬送手段と、この搬送手段によって搬送される紙葉類の種類を判別する判別手段と、この判別手段によって判別される紙葉類の種類に応じて前記紙葉類を区分保留する複数の保留部と、前記区分保留動作中において前記保留部が満杯になるのに基づいてその一部を前記保留部から繰り出すように第１の制御を行い、区分保留動作終了後には、前記保留部から全ての紙葉類を繰り出すように第２の制御を行う制御手段と、この制御手段の第１及び第２の制御によって前記保留部から繰り出される紙葉類を回収する回収部とを具備し、前記制御手段は、前記第２の制御によって前記保留部から全ての紙葉類を繰り出す際には、前記第１の制御によって既に前記回収部内に回収されている紙葉類を全て回収部から繰り出す第３の制御を行ってその種類を前記判別手段で判別させ、その判別結果に基づいて前記保留部に区分保留させてから前記第２の制御を開始させ、前記第３の制御動作によって前記紙葉類が前記保留部に区分保留されて前記保留部が満杯になるのに基づいて前記紙葉類を取り出すように第４の制御を行い、この第４の制御動作により取り出される紙葉類を集積させる集積部を備える。
【０００９】
請求項５記載のものは、紙葉類を搬送路に沿って搬送する搬送工程と、この搬送工程によって搬送される紙葉類の種類を判別する判別工程と、この判別工程によって判別される紙葉類の種類に応じて前記紙葉類を複数の保留部に区分保留する区分保留工程と、この区分保留工程中に、前記保留部が満杯になるのに基づいてその一部を前記保留部から繰り出すように第１の制御を行い、区分保留工程の終了後には、前記保留部から全ての紙葉類を繰り出すように第２の制御を行う制御工程と、この制御工程第１及び第２の制御によって前記保留部から繰り出される紙葉類を回収部に回収する回収工程とを具備し、前記制御工程において、前記第２の制御によって前記保留部から全ての紙葉類を繰り出す際には、前記第１の制御によって既に前記回収部内に回収されている紙葉類を全て回収部から繰り出すように第３の制御を行ってその種類を前記判別手段で判別させ、その判別結果に基づいて前記保留部に区分保留させてから前記第２の制御を開始する。
【００１０】
請求項６記載のものは、紙葉類を搬送路に沿って搬送する搬送工程と、この搬送工程によって搬送される紙葉類の種類を判別する判別工程と、この判別工程によって判別される紙葉類の種類に応じて前記紙葉類を複数の保留部に区分保留する区分保留工程と、この区分保留工程中において前記保留部が満杯になるのに基づいてその一部を前記保留部から繰り出すように第１の制御を行い、区分保留工程終了後には、前記保留部から全ての紙葉類を繰り出すように第２の制御を行う制御工程と、この制御工程の第１及び第２の制御によって前記保留部から繰り出される紙葉類を回収部に回収する回収工程とを具備し、前記制御工程は、前記第２の制御によって前記保留部から全ての紙葉類を繰り出す際には、前記第１の制御によって既に前記回収部内に回収されている紙葉類を全て回収部から繰り出してその種類を前記判別工程で判別させる第３の制御を行い、その判別結果に基づいて前記保留部に区分保留させてから前記第２の制御を開始させ、前記第３の制御動作時において前記判別工程による種類の判別が不能とされた紙葉類を収納部に収納する収納工程を備え、前記第３の制御動作により前記回収部が空になるのに基づいて前記収納部から判別不能紙葉類を取り出して前記回収部に回収し、この紙葉類を再度、回収部から取り出して前記判別工程に送り込んでその種類を判別させる。
【００１１】
請求項７記載のものは、紙葉類を搬送路に沿って搬送する搬送工程と、この搬送工程によって搬送される紙葉類の種類を判別する判別工程と、この判別工程によって判別される紙葉類の種類に応じて前記紙葉類を複数の保留部に区分保留する区分保留工程と、この区分保留工程において前記保留部が満杯になるのに基づいてその一部を前記保留部から繰り出すように第１の制御を行い、区分保留工程終了後には、前記保留部から全ての紙葉類を繰り出すように第２の制御を行う制御工程と、この制御工程の第１及び第２の制御によって前記保留部から繰り出される紙葉類を回収部に回収する回収工程とを具備し、前記制御工程において、前記第２の制御によって前記保留部から全ての紙葉類を繰り出す際には、前記第１の制御によって既に前記回収部内に回収されている紙葉類を全て回収部から繰り出す第３の制御を行ってその種類を前記判別工程で判別させ、その判別結果に基づいて前記保留部に区分保留させてから前記第２の制御を開始させ、前記第３の制御動作によって前記紙葉類が前記保留部に区分保留されて前記保留部が満杯になるのに基づいて前記紙葉類を取り出すように第４の制御を行い、この第４の制御動作により取り出される紙葉類を集積部に集積させる集積工程を備える。
【発明の効果】
【００１２】
本発明によれば、回収部内に紙葉類を自動的に整列した状態で回収でき、係員の手間を省くとともに、計数ミスの発生を防止することができる。
【発明を実施するための最良の形態】
【００１３】
以下、本発明を図面に示す実施の形態を参照して詳細に説明する。  
図１は、本発明の一実施の形態である紙葉類処理装置としての紙幣取扱装置を示す構成図である。
【００１４】
図中１は、紙葉類としての紙幣（以下、券という）を排出させる投入排出部である。この投入排出部１に投入された券は、券搬送路４に沿って搬送される。この券搬送路４中には券の搬送方向に沿って、投入・排出券を集積するための集積部２、投入された複数枚の券を１枚ずつに分離する分離部３、券の種類等を判別する判別手段としての鑑査部５が配設されている。
【００１５】
また、券搬送路４の鑑査部下流側には第１乃至第５の分岐路４ａ〜４ｅを介して第１乃至第５の保留部６〜１０が接続され、鑑査部上流側には第６の分岐路４ｆを介して回収部としての回収金庫１１が着脱自在に接続されている。
【００１６】
第１乃至第５の保留部６〜１０は鑑査部５の判別結果に応じて券を種類別に格納するものである。即ち、第１の保留部６は１万円券、第２の保留部７は千円券、第３の保留部８は五千円券、第４の保留部９は二千円券を格納し、第５の保留部（収納部）１０は鑑別エラー券を格納するようになっている。回収金庫１１は、券の装填・回収を行うためのものである。
【００１７】
上記した集積部２、各保留部６〜１０、回収金庫１１に出入される券は全て鑑査部５を通過してその券種等が判別されるとともに、枚数が計数されるようになっている。
【００１８】
また、上記した集積部２、分離部３、各保留部６〜１０、回収金庫１１には制御回路を介して制御手段としての制御部１２が接続され、後述するようにその動作が制御されるようになっている。
【００１９】
次に、上記したように構成される紙幣取扱装置の各種処理動作について説明する。
【００２０】
（１）受付動作
客が投入排出部１から複数枚の券を投入すると、この券は一旦、集積部２に集積される。この集積部２に集積された券は分離部３によって１枚ずつ分離されて券搬送路４に送り出される。この送り出された券は鑑査部５に送られてその券種が判別される。そして、この判別結果に基づいて券は第１乃至第４の各保留部６〜９に格納される。なお、鑑査部５で判別できなかった鑑別エラー券は、第５の保留部１０に保留され、この保留後、客に返却される。また、客の投入した券は、受付動作終了後（例えば切符の購入が終了した後）には、釣出し用の券として再利用される。
【００２１】
（２）釣出し動作
お釣を払い出す動作では、各券の保留部６〜９から必要な枚数の券が取り出され、券搬送路４を経由して集積部２に蓄えられる。全ての釣札が集積部２に集積された後、一括して投入排出部１に排出されて釣出し動作を完了する。
【００２２】
（３）装填動作
業務開始時等にて、釣出し用の券を各保留部６〜９に装填する際には、回収金庫１１に釣出し用の券を収納し、装填動作を開始する。これにより、回収金庫１１から券が１枚ずつ繰り出され、券搬送路４を通って鑑査部５にて券種が判別された後、各券の保留部６〜９に分岐路４ａ〜４ｄを介して格納される。
【００２３】
（４）締め切り回収動作
業務終了後等には、各保留部６〜９から券を順に繰り出し、券搬送路４及び分岐路４ｆを介して回収金庫１１に格納される（第２の制御動作）。
【００２４】
（５）運用途中の回収動作
各保留部６〜９にて、いずれかの保留部６〜９が満杯の状態になった場合、券の受付ができなくなる。
【００２５】
このような状態になった場合には、満杯になった保留部６〜９中の券の一部、或いは全部を自動的に回収金庫１１に搬送して保留部６〜９を空けることにより（第１の制御動作）、保留部６〜９での券の受付を継続することが可能になる。
【００２６】
ところで、この運用途中での回収動作が行われると、回収金庫１１には、各種の券が混在した状態で入り込むため、この状態から締め切り回収動作を行う場合、従来においては、係員は一旦、券を回収金庫１１から取り出して券種別に整列を行う必要があった。このため、係員の作業負担が大きくなるほか、計数ミス等の問題も発生し得る。
【００２７】
そこで、この発明では、係員の手によることなく、券を券種別に整列して回収金庫１１内に回収できるようにする。
【００２８】
即ち、図２に示すように、締め切り回収動作に際しては、まず、回収金庫１１内に券があるか否かが判別される（ステップＳＴ１）。券が有ると判別されると、混在した状態の券が１枚ずつ回収金庫１１から繰り出される（第３の制御動作、ステップＳＴ２）。この券は分岐路４ｆ及び券搬送路４を通って、鑑査部５で券種が判別され（ステップＳＴ３）、その券種に応じた保留部６〜９に振り分ける（ステップＳＴ４）。この振り分け動作により、回収金庫１１内に券がないと判別されると（ステップＳＴ１）、保留部６〜９から券が回収されて通常の締め切り回収動作が行われ（ステップＳＴ５）、回収金庫１１の内部に券が整列された状態で回収される。
【００２９】
なお、回収金庫１１からの券の取出時、および回収金庫１１への券の回収時には、券は鑑査部５に通されてその枚数が計数される。これにより、例えば、取扱装置運用中の計数結果と比較して違算がないかどうかのチェック等を実施することができる。
【００３０】
つぎに、上記したように回収金庫１１から券を取出して鑑査部５にて券種判別を行った結果、券種がわからなくなった場合の処理について図３のフローチャートを参照して説明する。
【００３１】
なお、図２で示した部分と同一部分については同一符号を付してその説明を省略する。
【００３２】
鑑査部５で券種の鑑別エラーが発生した場合には（ステップＳＴ３）、券は鑑別エラー保留部１０に保留される（ステップＳＴ１１）。そして、回収金庫１１からの券の取り出しが継続されて回収金庫１１内に券がないと判別されると（ステップＳＴ１）、鑑別エラー券の保留部１０内の券を券搬送路４を通して再び回収金庫１１に取り込み（ステップＳＴ１２）、この取込後、券を回収金庫１１から送り出して鑑査部５で再び、鑑別する（（ステップＳＴ３）。そして、この再鑑別の結果、券種が判別できたものは所定の保留部に入れ、本動作を規定回数繰り返した結果、鑑別エラーとなった券に関してのみ、最終的な鑑別エラー券として扱う。
【００３３】
つぎに、上記した回収金庫１１からの券の振分動作実施中に、各保留部６〜９のうちいずれかの保留部が満杯になった場合の振分動作について図４のフローチャートを参照して説明する。
【００３４】
券の振分動作実施中に、満杯の保留部６（〜９）が発生すると（ステップＳＴ２１）、満杯になった保留部６（〜９）の券の全て、或いは、一部を集積部２に移送する（ステップＳＴ２２）。これにより、保留部６（〜９）の満杯状態を解除して、保留部６（〜９）に対する振り分け動作を継続する（ステップＳＴ２３）。券の集積部２への移送は集積部２の最大保留枚数まで実施することができる。
【００３５】
券の振分動作終了後（ステップＳＴ２４）は、満杯状態の保留部の券の回収と、集積部２に集積された券の回収とを続けて行う（順不同）（ステップＳＴ２５）、ついで、他の保留部に保留されている券を回収して、同券種の券をひとまとまりとして回収金庫１１に収納する。
【００３６】
上記したように、装置の運用途中において保留部６〜９から回収金庫１１に回収した券は、締め切り回収動作に際しては、回収金庫１１から送り出してその券種別に各保留部６〜９に保留したのち、各保留部６〜９から全ての券を送り出して回収金庫１１に回収するため、回収金庫１１内に券を自動的に券種別に整列して回収できる。
【００３７】
従って、従来のように締め切り回収動作に際して、係員の手により、回収金庫１１から券を取り出して券種別に整列させる必要がなく、係員の作業負担を軽減できる。
【００３８】
また、券の回収動作時には、鑑査部５で券の枚数を計数するため、運用中の計数ミスを検出することができ、違算などのチェックを行うことができる。
【００３９】
さらに、回収金庫１１から送り出された券の保留部６〜９への振り分け動作中に鑑査部５で鑑別エラーとなった場合には、エラー保留部１０に保留したのち、回収金庫１１に戻し、再度、回収金庫１１から送り出して鑑査部５で鑑査して保留部６〜９へ振り分けるため、鑑別エラーが発生しても券の振分動作を停止することなく継続でき、処理効率を向上できる。
【００４０】
また、回収金庫１１から送り出した券の保留部６〜９への振り分け動作中に保留部が満杯になった場合には、満杯になった保留部６（〜９）の券を送り出して集積部２に集積するため、保留部が満杯になった場合でも、券の振り分け動作を停止することなく継続でき、処理効率を向上できる。
【００４１】
なお、本発明は、上記一実施の形態に限られることなく、その要旨の範囲内で種々変形実施可能なことは勿論である。
【図面の簡単な説明】
【００４２】
【図１】本発明の一実施の形態である紙葉類取扱装置を示す概略的構成図。
【図２】同紙葉類取扱装置の第１の取扱動作を示すフローチャート図。
【図３】同紙葉類取扱装置の第２の取扱動作を示すフローチャート図。
【図４】同紙葉類取扱装置の第３の取扱動作を示すフローチャート図。
【符号の説明】
【００４３】
２…集積部、４…搬送路（搬送手段）、５…鑑査部（判別手段）、６〜９…保留部、１２…制御部（制御手段）、１１…回収金庫（回収部）、１０…保留部（収納部）。
【図１】
2006260460.tif 000003
【図２】
2006260460.tif 000004
【図３】
2006260460.tif 000005
【図４】
2006260460.tif 000006